(57)【要約】【課題】  プリント回路集合基板としての実装作業およびプリント回路基板毎に分割して後のアセンブリ作業の向上を図ったプリント回路集合基板およびテレビジョンを提供することを目的とする。【解決手段】  一枚の絶縁基板Ｐ上に所定の構成ブロック毎に電気要素６を実装した後、構成ブロック毎に分割部５４により複数の異なる機能を有するプリント回路基板５１，５２，５３に分割されるプリント回路集合基板５において、分割前の絶縁基板Ｐの一方の面Ｐ１に表示される表記記号７は、当該絶縁基板Ｐに電気要素６を実装する実装作業を行う際に向かい合う辺Ｕを基準に基準辺Ｕ、Ｐ１Ｒを決め、同じ方向に向きを揃えて表示し、絶縁基板Ｐの他方の面Ｐ２に表示される表記記号７は、構成ブロック毎に分割した後のプリント回路基板５１，５２，５３毎に、アセンブリ作業を行う際に向かい合う辺ＵまたはＴを基準に基準辺Ｕ、Ｐ１ＬまたはＴ、Ｐ１Ｒを決め、同じ方向に向きを揃えて表示する。【選択図】図３
2009176905.tif 000002
【特許請求の範囲】
【請求項１】
一枚の絶縁基板上に所定の構成ブロック毎に電気要素を実装した後、前記構成ブロック毎に分割部により複数の異なる機能を有するプリント回路基板に分割されるプリント回路集合基板において、
前記分割前の絶縁基板の一方の面に表示される表記記号は、当該絶縁基板に前記電気要素を実装する実装作業を行う際に向かい合う辺を基準に基準辺を決め、同じ方向に向きを揃えて表示し、前記絶縁基板の他方の面に表示される表記記号は、前記構成ブロック毎に分割した後のプリント回路基板毎に、アセンブリ作業を行う際に向かい合う辺を基準に基準辺を決め、同じ方向に向きを揃えて表示することを特徴とするプリント回路集合基板。
【請求項２】
前記複数のプリント回路基板は、前記絶縁基板が分割される前の状態で、リード線により接続されていることを特徴とする請求項１に記載のプリント回路集合基板。
【請求項３】
アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する画像表示手段と、前記テレビジョン受信手段からの出力信号に基づいて音声を発するスピーカ装置と、電源部と、全体的な制御を統括して行う制御手段と、これらテレビジョン受信手段、画像表示手段、制御手段および電源部の一部または複数を搭載したメインのプリント回路基板と、このメインのプリント回路基板に接続され、前記スピーカ装置の入力端子部に接続される中継用のプリント回路基板と、これらテレビジョン受信手段、画像表示手段、制御手段、電源部および基板装置を収納するキャビネットと、を備え、前記メインのプリント回路基板と、前記中継用のプリント回路基板とは、一枚の絶縁基板上に前記メインのプリント回路基板および前記中継用のプリント回路基板の構成ブロック毎に電気要素を実装した後、前記メインのプリント回路基板と、前記中継用のプリント回路基板の構成ブロック毎に分割部により分割されるプリント回路集合基板から構成されたテレビジョンにおいて、
前記分割前の絶縁基板の一方の面に表示される表記記号は、当該絶縁基板に前記電気要素を実装する実装作業を行う際に向かい合う辺を基準に基準辺を決め、同じ方向に向きを揃えて表示し、前記絶縁基板の他方の面に表示される表記記号は、前記メインのプリント回路基板と、前記中継用のプリント回路基板に分割した後のプリント回路基板毎に、アセンブリ作業を行う際に向かい合う辺を基準に基準辺を決め、同じ方向に向きを揃えて表示することを特徴とするテレビジョン。
【請求項４】
前記メインのプリント回路基板と、前記中継用のプリント回路基板とは、前記絶縁基板が分割される前の状態で、リード線により接続されていることを特徴とする請求項３に記載のテレビジョン。
【発明の詳細な説明】
【技術分野】
【０００１】
本発明は、回路パターンが形成された一枚の絶縁基板上に、例えば、半導体素子、コンデンサ、抵抗および変圧器などの電気部品、リード線およびコネクタなどの回路素子などの各部品（以下これらを総称して「電気要素」と言う。）を実装した後、所定の機能を構成する構成ブロック毎に分割部により複数のプリント回路基板に分割されるプリント回路集合基板に関し、特に、プリント回路集合基板としての実装作業およびプリント回路基板毎に分割して後のアセンブリ作業の向上を図ったものである。
【背景技術】
【０００２】
例えば、液晶型のテレビジョンにおいて用いられるテレビジョン受信手段などを搭載したメインのプリント回路基板、このメインのプリント回路基板とスピーカの入力端子部との接続に用いられる一対の中継用のプリント回路基板およびリモコンの受信用センサを搭載した受信用のプリント回路基板は、一枚の絶縁基板上に、構成ブロック毎に各種の電気要素を実装してプリント回路集合基板を構成し、その後、テレビジョンを組立てる際に、プリント回路集合基板を、分割部により構成ブロック毎に分割し、プリント回路基板毎にアセンブリ作業が行われる。
【０００３】
上述のような、絶縁基板上への電気要素の実装やプリント回路基板毎のアセンブリは、極めて限られたスペースでの作業である。また、絶縁基板上に表示されている、各電気要素などに対応する部品記号、部品番号（リファレンスナンバ）、シンボルマーク、文字などからなる表記（以下これらを総称して「表記記号」と言う。）は、極めて小さく表示されているので、上述のような実装作業、アセンブリ作業、更には、検査作業においては、これら作業性の向上を図るために、表記記号が見やすいことが望ましい。特に、近年のように、この種電子機器、例えば、テレビジョンなどのように薄型、軽量化が進むに伴って、作業性の向上を図る上で、表記記号が見やすいことが強く要望さている。
【０００４】
従来では、例えば、回路基板の一方の面および他方の面の部品記号は、基板本体を含む平面を通る直線を中心軸として、基板本体を反転させとき向きが同一となるようにしたものがある(例えば、特許文献１参照）。また、編集基板に、単位毎に切断する切断溝に沿って、切断溝の幅よりも広いシルク文字パターンを形成したものがある(例えば、特許文献２参照）。
【０００５】
更には、回路基板の外表面に部品記号、回路記号を表記し、特定用途においてのみ実装し、或いは、除外する部品については、回路記号の向きを、上記回路記号の向きと逆向きに表記して形成したものがある（特許文献３参照）。
【特許文献１】特開平４−６１３９３号公報
【特許文献２】実開平４−１１１７７７号公報
【特許文献３】実開昭６２−９２６７６号公報
【発明の開示】
【発明が解決しようとする課題】
【０００６】
しかし、前述の特許文献１記載の構成では、反転した際の目視チェックは、行い易くなるが、回路基板は、複数のプリント回路基板に分割されず、プリント回路集合基板に関するものでない。また、特許文献２記載の構成では、シルク文字パターンがあるので、切断溝の目視チェックは、行い易くなるが、回路基板は、同一の基板であって、複数の異なる機能を有するプリント回路基板に分割されるプリント回路集合基板に関するものでない。
【０００７】
更には、特許文献３記載の構成では、用途毎の実装部品と未実装部品の目視判断を、容易に行えるが、回路基板は、複数のプリント回路基板に分割されず、プリント回路集合基板に関するものでない。
【０００８】
本発明は、上述した問題を解決するためになされたものであり、プリント回路集合基板としての実装作業およびプリント回路基板毎に分割して後のアセンブリ作業の向上を図ったプリント回路集合基板およびテレビジョンを提供することを目的とする。
【課題を解決するための手段】
【０００９】
かかる目的を達成するため、本発明では、一枚の絶縁基板上に所定の構成ブロック毎に電気要素を実装した後、構成ブロック毎に分割部により複数の異なる機能を有するプリント回路基板に分割されるプリント回路集合基板において、分割前の絶縁基板の一方の面に表示される表記記号は、当該絶縁基板に電気要素を実装する実装作業を行う際に向かい合う辺を基準に基準辺を決め、同じ方向に向きを揃えて表示し、絶縁基板の他方の面に表示される表記記号は、構成ブロック毎に分割した後のプリント回路基板毎に、アセンブリ作業を行う際に向かい合う辺を基準に基準辺を決め、同じ方向に向きを揃えて表示する。
【００１０】
この構成によれば、一枚の絶縁基板上の一方の面に所定の構成ブロック毎に電気要素を装着し、実装してプリント回路集合基板を製作する工程では、各電気要素を表示する表記記号が、絶縁基板に電気要素を実装する実装作業を行う際に向かい合う辺を基準に基準辺を決め、同じ方向に向きを揃えて表示されている。従って、この工程における電気要素の実装作業および実装後の目視チェック作業は、極めて行い易い。また、絶縁基板の他方の面に表示される表記記号は、構成ブロック毎に分割した後のプリント回路基板毎に、アセンブリ作業を行う際に向かい合う辺を基準に基準辺を決め、同じ方向に向きを揃えて表示されている。従って、この工程におけるアセンブリ作業は、極めて行い易い。この結果、この種プリント回路集合基板の実装作業およびアセンブリ作業の向上が図れ、生産効率がアップするなどといった効果を奏する。
【００１１】
また、本発明においては、複数のプリント回路基板は、絶縁基板が分割される前の状態で、リード線により接続する。この構成によれば、分離される複数のプリント回路基板間のリード線による接続作業は、プリント回路集合基板を製作する過程で行われ、しかも、製品としてアセンブリされる際に分割し、製品にアセンブリすれば良い。この結果、リード線の接続時間の短縮が図れる他、組立て時まで、プリント回路集合基板として、一体的に保管および管理することができ、都合がよい。
【００１２】
また、本発明においては、アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する画像表示手段と、テレビジョン受信手段からの出力信号に基づいて音声を発するスピーカ装置と、電源部と、全体的な制御を統括して行う制御手段と、これらテレビジョン受信手段、画像表示手段、制御手段および電源部の一部または複数を搭載したメインのプリント回路基板と、このメインのプリント回路基板に接続され、スピーカ装置の入力端子部に接続される中継用のプリント回路基板と、これらテレビジョン受信手段、画像表示手段、制御手段、電源部および基板装置を収納するキャビネットと、を備え、メインのプリント回路基板と、中継用のプリント回路基板とは、一枚の絶縁基板上にメインのプリント回路基板および中継用のプリント回路基板の構成ブロック毎に電気要素を実装した後、メインのプリント回路基板と、中継用のプリント回路基板の構成ブロック毎に分割部により分割されるプリント回路集合基板から構成されたテレビジョンにおいて、分割前の絶縁基板の一方の面に表示される表記記号は、当該絶縁基板に電気要素を実装する実装作業を行う際に向かい合う辺を基準に基準辺を決め、同じ方向に向きを揃えて表示し、絶縁基板の他方の面に表示される表記記号は、メインのプリント回路基板と、中継用のプリント回路基板に分割した後のプリント回路基板毎に、アセンブリ作業を行う際に向かい合う辺を基準に基準辺を決め、同じ方向に向きを揃えて表示する。
【００１３】
この構成によれば、一枚の絶縁基板上の一方の面に、メインのプリント回路基板と、中継用のプリント回路基板の構成ブロック毎に電気要素を実装してプリント回路集合基板を製作する工程では、各電気要素を表示する表記記号が、実装作業を行う際に向かい合う辺を基準に基準辺を決め、同じ方向に向きを揃えて表示されている。従って、この工程における電気要素の実装作業および、実装後の目視チェック作業は、極めて行い易い。また、絶縁基板の他方の面に表示される表記記号は、メインのプリント回路基板と、中継用のプリント回路基板の構成ブロック毎に分割した後のメインのプリント回路基板と、中継用のプリント回路基板毎に、アセンブリ作業を行う際に向かい合う辺を基準に基準辺を決め、同じ方向に向きを揃えて表示されている。従って、この工程におけるアセンブリ作業は、極めて行い易い。この結果、この種プリント回路集合基板の実装作業およびアセンブリ作業の向上が図れ、この種テレビジョンの生産効率がアップするなどといった効果を奏する。
【００１４】
更に、本発明においては、メインのプリント回路基板と、中継用のプリント回路基板とは、絶縁基板が分割される前の状態で、リード線により接続する。この構成によれば、分離されるメインのプリント回路基板と、中継用のプリント回路基板との間のリード線による接続作業は、プリント回路集合基板を製作する過程で行われ、しかも、製品としてアセンブリされる際に分割し、製品にアセンブリすれば良い。この結果、リード線の接続時間の短縮が図れる他、組立て時まで、プリント回路集合基板として、一体的に保管および管理することができ、都合がよい。
【発明の効果】
【００１５】
本発明によれば、プリント回路集合基板としての実装作業およびプリント回路基板毎に分割して後のアセンブリ作業の向上を図ったプリント回路集合基板およびテレビジョンを得ることができる。
【発明を実施するための最良の形態】
【００１６】
以下、本発明の一実施形態を図１乃至図８に基づいて説明する。図１は、本発明の一実施形態に係るプリント回路集合基板を用いた液晶型のテレビジョンの概略構成を示すブロック図、図２は、図１に示す液晶型のテレビジョンの概略構成を示す正面図である。図３は、図２に示すテレビジョンに用いられるプリント回路集合基板の概略構成を示し、一方の面（正面）から視た図、図４は、図３のプリント回路集合基板を他方の面（裏面）から視た図である。図５は、スピーカ装置の上面図、図６は、図５のスピーカ装置の側面図ある。図７は、中継用のプリント回路基板の概略構成を示し、一方の面から視た拡大図、図８は、図７に示す中継用のプリント回路基板を他方の面から視た拡大図である。
【００１７】
図１に示すように、例えば、地上デジタルのテレビ放送が受信できる液晶型のテレビジョン１は、テレビジョン受信手段１１と、このテレビジョン受信手段１１からの出力信号に基づいて画像情報を表示する、例えば、液晶表示装置からなる画像表示手段２と、テレビジョン受信手段１１からの出力信号に基づいて音声を発するスピーカを有するスピーカ装置３と、装置の全体的な制御を統括して行う制御手段１２と、各部に電力を供給する電源部１３と、操作パネル１４と、これらテレビジョン受信手段１１、画像表示手段２、スピーカ装置３、制御手段１２および電源部１３などを収納するキャビネット４とから構成されている。これらテレビジョン受信手段１１、画像表示手段２のパネル駆動回路２２およびインバータ回路２３、制御手段１２並びに電源部１３などは、例えば、後述するように、プリント回路集合基板５（図３参照）から分離して構成されたメインのプリント回路基板５１に搭載されている。また、プリント回路集合基板５には、メインのプリント回路基板５１と、スピーカ装置３とを接続する際に用いられる中継用のプリント回路基板５２や後述する、リモコン受信部１４１を形成する受信センサなどを実装した受信用のプリント回路基板５３が形成されている。
【００１８】
液晶型のテレビジョン１は、例えば、図２に示す厚みの薄い略矩形状のキャビネット４により構成されている。キャビネット４は、例えば、スタンド機構１７などにより略鉛直（垂直）に正立され、その正面側に矩形状の開口４１が設けられている。開口４１には、画像情報を表示する表示手段である、画像表示手段２の表示面である液晶パネル２１が嵌め込まれ、この液晶パネル２１において映像などの画像を表示することが可能となっている。また、例えば、画像表示手段２の下方には、スピーカ装置３が配設され、本実施形態では、キャビネット４が、スピーカ装置３のキャビネットを兼ねている。
【００１９】
テレビジョン受信手段１１は、アンテナＡを介して受信した地上デジタルの放送信号の中から、ユーザにより設定入力されたチャンネルの放送信号の選局・復調を行って、映像信号・音声信号を出力する。このテレビジョン受信手段１１は、例えば、地上デジタルの放送信号を選択的に受信する地上デジタルチューナ１１１と、地上デジタルの放送信号を復調する地上デジタル復調部１１２と、復調されたストリーム信号から映像データ、音響データ、番組情報や文字情報や制御データなどを含む付加情報をデコードするＴＳ（Ｔｒａｎｓｐｏｒｔ  Ｓｔｒｅａｍ）デコーダー１１３と、映像データを復号して映像信号を出力するビデオデコーダー１１４と、音声データを復号して音声信号を出力するオーディオデコーダー１１５とから構成されている。
【００２０】
画像表示手段２である液晶表示装置は、液晶パネル２１と、パネル駆動回路２２と、バックライト装置２３と、インバータ回路２４とから構成されている。パネル駆動回路２２は、ビデオデコーダー１１４から入力されたＲＧＢ信号に基づき、液晶パネル２１の画素数（横縦比・ｍ：ｎ）に合わせたスケーリング処理を行い、液晶パネル２１に表示する１画面分の画像データを生成する。そして、この生成された画像データを液晶パネル２１に出力する。バックライト装置２３は、液晶パネル２１の背面に設置され、蛍光ランプなどからなる光源部を備え、液晶パネル２１の背面から光を照射する。インバータ回路２４は、例えば、整流器や昇圧用の変圧器などを備え、電源部１３から供給された直流電圧を、所望の高周波数の交流電圧に変換するとともに、昇圧し、当該交流電圧をバックライト装置２３の光源部に給電し、光源部を点灯させる。
【００２１】
制御手段１２は、装置の全体的な制御を統括して行うマイクロコンピュータ（マイクロコントローラ）から構成されている。この制御手段１２には、作業用のメモリ空間を提供するＲＡＭ（Ｒａｎｄｏｍ  Ａｃｃｅｓｓ  Ｍｅｍｏｒｙ）１５と、制御プログラムや制御データが格納される不揮発性メモリ１６などが接続されている。操作パネル１４には、複数の操作ボタンやリモコン受信部１４１が設けられ外部からの指示操作を受け付けるように構成されている。これにより、制御手段１２は、操作パネル１４およびリモコン受信部１４１を介してリモコンＲから入力される種々のコマンド信号に応じて各部に制御信号を発して所定の動作を行わせる。なお、ＲＡＭ１５や不揮発性メモリ１６はマイクロコンピュータと一体的に集積された構成としても良いのは、勿論である。また、地上デジタルの放送信号には、制御データとして様々な情報が含まれており、その中には、放送局名など放送局を識別する情報、放送局の系列が表わされた系列ＩＤ（“ａｆｆｉｌｉａｔｉｏｎ  ｉｄ”と記述される）、１ｃｈ〜１２ｃｈの選局番号のうち放送局により割り当て用として推奨され選局番号を示すリモコンキーＩＤ（“ｒｅｍｏｔｅ  ｃｏｎｔｒｏｌ  ｋｅｙ  ｉｄ"と記述される）などがある。そして、これらのデータは、ＴＳデコーダー１１３においてデコードされて制御手段１２へ送られるようになっている。
【００２２】
かかる構成により、ユーザは、例えば、キャビネット４に設けられた操作パネル１４或いはリモコンＲを操作し、所望のチャンネルに合わせることにより、画像表示手段２である液晶表示装置の液晶パネル２１に表示される画像を観ることができ、同時にスピーカ装置３から音声を聴くことができる。
【００２３】
而して、本発明に従い、上述のメインのプリント回路基板５１は、例えば、図３および図４に示すように、プリント回路集合基板５から分離して構成される。このプリント回路集合基板５は、一枚の絶縁基板Ｐ上に所定の構成ブロック毎、図示する例では、メインのプリント回路基板５１、中継用のプリント回路基板５２、受信用のプリント回路基板５３毎に、電気要素が実装され、テレビジョン１を組立てる際に、絶縁基板Ｐに形成された分割部５４により分割される。そして、分割前の絶縁基板Ｐの一方の面Ｐ１（図３参照）には、各電気要素６に対応する部品記号、部品番号（リファレンスナンバ）、シンボルマーク、文字、例えば、「ＣＬ」、「Ｒ」、「Ｄ５１」、「ＩＣ８５１」および「Ｆ２３」などからなる表記記号７がシルク印刷などにより表示されている。この表記記号７は、当該絶縁基板Ｐに電気要素６を実装する実装作業を行う際に向かい合う辺を基準に基準辺を決め、同じ方向に向きを揃えて表示してある。即ち、図示する例では、実装作業を行う際に向かい合う辺が当該絶縁基板Ｐの下側の辺Ｕであり、この辺Ｕを基準に基準辺Ｕ、Ｐ１Ｒを決め、同じ方向に向きを揃えて表示されている。そして、この状態で、一方の面Ｐ１側に実装される各電気要素６、例えば、抵抗やリード線６２などの装着作業が行われ、その後、他方の面面Ｐ２（図４参照）において、予め、形成された、回路パターンやランド６３に半田付けされる。リード線６２は、後述するように、メインのプリント回路集合基板５１に搭載された音声信号を出力する機能を備えたテレビジョン受信手段１１と、スピーカ装置３との間を中継用のプリント回路基板５２を介して接続するものである。
【００２４】
また、絶縁基板Ｐの他方の面Ｐ２（図４参照）に表示される各電気要素６に対応する表記記号７は、構成ブロック、即ち、メインのプリント回路基板５１、中継用のプリント回路基板５２、受信用のプリント回路基板５３毎に分割した後の、メインのプリント回路基板５１、中継用のプリント回路基板５２、受信用のプリント回路基板５３毎に、アセンブリ作業を行う際に向かい合う辺を基準に基準辺を決め、同じ方向に向きを揃えて表示されている。即ち、メインのプリント回路基板５１および受信用のプリント回路基板５３は、アセンブリ作業を行う際に向かい合う辺が当該絶縁基板Ｐの下側の辺Ｕであり、この辺Ｕを基準に基準辺Ｕ、Ｐ１Ｌを決め、同じ方向に向きを揃えて表示されている。これに対して、中継用のプリント回路基板５１は、アセンブリ作業を行う際に向かい合う辺が当該絶縁基板Ｐの上側の辺Ｔであり、この辺Ｔを基準に基準辺Ｔ、Ｐ１Ｒ（図示例では、基準辺Ｐ１Ｒには、表示記号なし）を決め、同じ方向に向きを揃えて表示されている。従って、中継用のプリント回路基板５１の表記記号７は、メインのプリント回路基板５１や受信用のプリント回路基板５３とは、逆向きに表示されている。なお、図示しないが、絶縁基板Ｐの他方の面Ｐ２には、所望の回路パターンが形成されている。
【００２５】
上述のように構成された中継用のプリント回路基板５１は、例えば、図５および図６に示すように、スピーカ装置３に装着され、リード線６２と共同して接続手段を構成し、スピーカ装置３と、メインのプリント回路集合基板５１に搭載されたテレビジョン受信手段１１とを接続している。この中継用のプリント回路基板５１のアセンブリ作業は、図５において、矢印Ｍで示す方向から向かい合って行われる。このアセンブリ作業に際しては、先ず、中継用のプリント回路基板５２は、プリント回路集合基板５から分割部５４により分割し（図７参照）、上下逆向けで、かつ、裏返され（図８参照）される。そして、図５に示すように、中継用のプリント回路基板５２の嵌挿孔８１を、スピーカ装置３の各入力端子３１に嵌挿し、その後、半田付けが行われる。
【００２６】
中継用のプリント回路基板５１は、例えば、入力端子３１の先端部分が嵌挿される、例えば、方形状の一対の端子孔８１と、この端子孔８１のそれぞれの周囲に形成された端子用のランド６３と、リード線６２を挿通するためのリード線孔８２と、このリード線孔８２のそれぞれの周囲に形成されたリード線用のランド６３と、この中継用のプリント回路基板５１を必要に応じて、左右に分離可能とするための切断部８３とから構成されている。切断部８３は、例えば、図７および図８において、上下方向からの切り込み溝８４と、中間部分に設けられたミシン目８５により形成されている。切断部８３は、これら切り込み溝８４やミシン目８５に換えて、図示しないが、Ｖ字溝、Ｕ字溝などの切断溝としても、或いは、これらを切り込み溝８４、ミシン目８５や切断溝を適宜併用しても良いのは勿論である。
【００２７】
以上の構成による本実施形態によれば、一枚の絶縁基板Ｐ上の一方の面Ｐ１に所定の構成ブロック毎に電気要素６を実装してプリント回路集合基板５を製作する工程では、各電気要素６を表示する表記記号７が、絶縁基板Ｐに電気要素６を実装する実装作業を行う際に向かい合う辺Ｕを基準に基準辺Ｕ、Ｐ１Ｒを決め、同じ方向に向きを揃えて表示されている。従って、この工程における電気要素６の実装作業および実装後の目視チェック作業は、極めて行い易い。また、絶縁基板Ｐの他方の面Ｐ２に表示される表記記号７は、構成ブロック毎に分割した後のプリント回路基板５１、５２，５３毎に、アセンブリ作業を行う際に向かい合う辺ＵまたはＴを基準に基準辺Ｕ、Ｐ１Ｌまたは基準辺Ｔ、Ｐ１Ｒを決め、同じ方向に向きを揃えて表示されている。従って、この工程におけるアセンブリ作業は、極めて行い易い。この結果、この種プリント回路集合基板５の実装作業およびアセンブリ作業の向上が図れ、生産効率がアップするなどといった効果を奏する。
【００２８】
また、分割した後のプリント回路基板５１、５２、５３の表示記号７は、プリント回路基板５１、５２、５３毎に、アセンブリ作業を行う際に向かい合う辺ＵまたはＴを基準に基準辺Ｕ、Ｐ１Ｌまたは基準辺Ｔ、Ｐ１Ｒを決め、同じ方向に向きを揃えて表示されているので、各構成ブロック単位のプリント回路基板５１、５２、５３の形状や絶縁基板Ｐ上におけるレイアウト設計に際し、殊更、分割後のプリント回路基板５１、５２、５３の表示記号７の表示方向を考慮する必要がなく、形状やレイアウト設計の自由度が増す。この結果、この種プリント回路集合基板５における捨て基板の削減が図れ、都合がよい。
【００２９】
また、本実施形態によれば、分離される複数のプリント回路基板５１、５２間のリード線６２による接続作業は、プリント回路集合基板５を製作する過程で行われ、しかも、製品としてアセンブリされる際に分割し、製品にアセンブリすれば良い。この結果、リード線６２の接続時間の短縮が図れる他、組立て時まで、プリント回路集合基板５として、一体的に保管および管理することができ、都合がよい。
【００３０】
また、本実施形態によれば、一枚の絶縁基板Ｐ上の一方の面Ｐ１に、メインのプリント回路基板５１と、中継用のプリント回路基板５２の構成ブロック毎に電気要素６を実装してプリント回路集合基板５を製作する工程では、各電気要素６を表示する表記記号７が、実装作業を行う際に向かい合う辺Ｕを基準に基準辺Ｕ、Ｐ１Ｒを決め、同じ方向に向きを揃えて表示されている。従って、この工程における電気要素６の実装作業および、実装後の目視チェック作業は、極めて行い易い。また、絶縁基板Ｐの他方の面Ｐ２に表示される表記記号７は、メインのプリント回路基板５１と、中継用のプリント回路基板５２の構成ブロック毎に分割した後のメインのプリント回路基板５１と、中継用のプリント回路基板５２毎に、アセンブリ作業を行う際に向かい合う辺Ｕ、Ｔを基準に基準辺Ｕ、Ｐ１Ｌまたは基準辺Ｔ、Ｐ１Ｒを決め、同じ方向に向きを揃えて表示されている。従って、この工程におけるアセンブリ作業は、極めて行い易い。この結果、この種プリント回路集合基板５の実装作業およびアセンブリ作業の向上が図れ、この種テレビジョン１の生産効率がアップするなどといった効果を奏する。
【００３１】
更に、本実施形態によれば、分離されるメインのプリント回路基板５１と、中継用のプリント回路基板５２との間のリード線６２による接続作業は、プリント回路集合基板５を製作する過程で行われ、しかも、製品としてアセンブリされる際に分割し、製品にアセンブリすれば良い。この結果、リード線６２の接続時間の短縮が図れる他、組立て時まで、プリント回路集合基板５として、一体的に保管および管理することができ、都合がよい。
【００３２】
なお、上述した各実施形態は、本発明の好適な実施例であるが、本発明はこれに限定されるものではなく、本発明の要旨を逸脱しない範囲において、種々変形実施可能である。
【００３３】
例えば、上述した実施形態では、プリント回路集合基板５を、液晶型のテレビジョン１に用いた場合について詳述したが、他の薄型のテレビジョンや、他の電子機器のプリント回路集合基板に本発明を適用してもよいのは、勿論である。
【図面の簡単な説明】
【００３４】
【図１】本発明の一実施形態に係るプリント回路集合基板を用いた液晶型のテレビジョンの概略構成を示すブロック図である。
【図２】図１に示す液晶型のテレビジョンの概略構成を示す正面図である。
【図３】図２に示すテレビジョンに用いられるプリント回路集合基板の概略構成を示し、一方の面（正面）から視た図である。
【図４】図３のプリント回路集合基板を他方の面（裏面）から視た図である。
【図５】スピーカ装置の上面図である。
【図６】図５のスピーカ装置の側面図ある。
【図７】中継用のプリント回路基板の概略構成を示し、一方の面から視た拡大図である。
【図８】図７に示す中継用のプリント回路基板を他方の面から視た拡大図である。
【符号の説明】
【００３５】
１      液晶型のテレビジョン
１１    テレビジョン受信手段
１２    制御手段
１３    電源部
２      画像表示手段
３      スピーカ装置
４      キャビネット
５      プリント回路集合基板
５１    メインのプリント回路基板
５２    中継用のプリント回路基板
６      電気要素
７      表記記号
Ａ      アンテナ
Ｐ      絶縁基板
Ｐ１    一方の面
Ｐ２    他方の面
Ｐ１Ｒ  基準辺
Ｐ１Ｌ  基準辺
Ｔ      基準辺
Ｕ      基準辺
【図１】
2009176905.tif 000003
【図２】
2009176905.tif 000004
【図３】
2009176905.tif 000005
【図４】
2009176905.tif 000006
【図５】
2009176905.tif 000007
【図６】
2009176905.tif 000008
【図７】
2009176905.tif 000009
【図８】
2009176905.tif 000010